(57)【要約】      （修正有）【課題】紙幣類が収納可能にもかかわらず折り畳むことによってコンパクト性を有する折り畳みが可能な財布を提供する。【解決手段】財布本体１は、外装を構成する外装面部材１０，１１と、この外装面部材１０と外装面部材１１との間にカード類を収納するためのカード収納部２０と、硬貨を収納するための硬貨収納部３０と、紙幣やレシート、領収書等を収納するための紙幣収納部４０とが設けられている。外装面部材１０，１１は、図２に示すように略正方形の形状であって、それぞれの一辺に縫着されている結合片により結合している。【選択図】図１
0003142409.tif 000002
【実用新案登録請求の範囲】
【請求項１】
折り畳み可能な財布を広げた際に少なくとも紙幣の大きさに略等しい紙幣類収納部が設けられていることを特徴とする財布。
【請求項２】
財布本体を折り曲げることにより折り畳み可能な財布であって、
前記財布本体の内側に硬貨を収納するための硬貨収納部と、
カード類を収納するためのカード収納部と、
折り畳み可能な財布を広げた際に少なくとも紙幣の大きさに略等しい紙幣類収納部と、
を備えたことを特徴とする財布。
【請求項３】
二つの同一形状の外装面部材の間に前記硬貨収納部とカード類収納部と紙幣類収納部とを備えた財布であって、
前記硬貨収納部は、その一部が一方の外装面部材に縫着され、
前記紙幣類収納部は、その一部が他方の外装面部材に縫着され、
前記カード類収納部は、その一部が前記硬貨収納部と前記紙幣収納部とにそれぞれ縫着されていることを特徴とする財布。
【請求項４】
前記紙幣類収納部は、２枚の長尺状のシートからなり、該２枚の長尺状のシートの長手方向の一辺と該一辺に連なる辺が縫着されていることを特徴とする請求項１〜３のいずれかに記載の財布。
【請求項５】
前記紙幣類収納部は、前記シートの両端に留め具が設けられ、該留め具を互いに嵌合させることで前記財布本体を折り曲げたときの二つ折りの状態を保持することを特徴とする請求項４に記載の財布。
【考案の詳細な説明】
【技術分野】
【０００１】
本考案は、硬貨と紙幣及びカード類を収納する収納構造を備え、折り畳みが可能な財布に関し、特に、折り畳むことでコンパクト性に優れる財布に関する。
【背景技術】
【０００２】
従来の硬貨と紙幣及びカード類が収納可能であって、折り畳むことができる財布として、特許文献１で提案された財布がある。
この財布１００は、図６及び図７に示すように、外側面部材１０１と内側面部材１０２との３辺が縫着され、紙幣の挿入および取り出しが可能な開口（紙幣収納部１０７）が形成される。内側面部材１０２の略中央部には財布１００を折り畳めるようにした曲げ部１０３が形成され、この曲げ部１０３の右側に硬貨を収納するための硬貨収納部１０４が形成され、左側にはカード類を収納するためのカード収納部１０５が形成されている。
そして、曲げ部１０３を折り曲げることで、財布１００を二つ折りにすることができ、コンパクトにすることができる。
【０００３】
このような折り畳みが可能な財布は、硬貨と紙幣及びカード類を収納できると共に、折り畳めてコンパクトにすることができるため、持ち運びに便利であり、また、カバンに収納する際にも少スペースで済むという利点がある。
【特許文献１】実用新案登録第３１３４７９８号公報
【考案の開示】
【考案が解決しようとする課題】
【０００４】
しかしながら、特許文献１で提案された財布には、以上のような利点があるものの、未だ解決できていない以下のような問題がある。
即ち、図６及び図７に示すように、財布１００の紙幣収納部１０７を形成するために、外側面部材１０１と内側面部材１０２とを縫着する必要がある。つまり、紙幣収納部１０７が財布１００の最も外側に位置することとなり、紙幣を多く収納したときに財布本体がふくらんでしまったり、スムーズに折り畳むことができなくなったりしてしまう。
また、紙幣収納部１０７は、紙幣を取り出し易くするために、紙幣の大きさよりも大きく形成する必要があり、結果的に、財布１００全体が大きくなってしまう。
【０００５】
本考案は係る問題に鑑みてなされたものであり、紙幣類を収納可能にもかかわらずコンパクト性を有する折り畳みが可能な財布を提供することを目的とする。
【課題を解決するための手段】
【０００６】
本考案は、上記目的を達成するために、折り畳み可能な財布を広げた際に少なくとも紙幣の大きさに略等しい紙幣類収納部が設けられていることを特徴とする財布を提供するものである。
【０００７】
また、本考案は上記の目的を達成するために、財布本体を折り曲げることにより折り畳み可能な財布であって、前記財布本体の内側に硬貨を収納するための硬貨収納部と、カード類を収納するためのカード収納部と、折り畳み可能な財布を広げた際に少なくとも紙幣の大きさに略等しい紙幣類収納部と、を備えたことを特徴とする財布を提供するものである。
【０００８】
また、本考案は上記の目的を達成するために、二つの同一形状の外装面部材の間に前記硬貨収納部とカード類収納部と紙幣類収納部とを備えた財布であって、前記硬貨収納部は、その一部が一方の外装面部材に縫着され、前記紙幣類収納部は、その一部が他方の外装面部材に縫着され、前記カード類収納部は、その一部が前記硬貨収納部と前記紙幣収納部とにそれぞれ縫着されていることを特徴とする財布を提供するものである。
【０００９】
以上の構成において、前記紙幣類収納部は、２枚の長尺状のシートからなり、該２枚の長尺状のシートの長手方向の一辺と該一辺に連なる辺が縫着されていることが望ましく、また、前記紙幣類収納部は、前記シートの両端に留め具が設けられ、該留め具を互いに嵌合させることで前記財布本体を折り曲げたときの二つ折りの状態を保持することが望ましい。
【考案の効果】
【００１０】
本考案によれば、折り畳み可能な財布を広げた際に少なくとも紙幣の大きさに略等しい紙幣類収納部を備えるようにしたので、紙幣類が収納可能にもかかわらず折り畳むことによってコンパクト性を有する折り畳みが可能な財布を提供することが可能となる。
【考案を実施するための最良の形態】
【００１１】
以下、図面を参照して、本考案の実施の形態に係る財布について詳細に説明する。
図１は、財布本体を展開した状態を示した図であり、図２は、財布本体を折り畳んだ状態を示した図であり、図３は、硬貨収納部の構成を示した図である。
図１に示すように、財布本体１は、外装を構成する外装面部材１０，１１と、この外装面部材１０と外装面部材１１との間にカード類を収納するためのカード類収納部２０と、硬貨を収納するための硬貨収納部３０と、紙幣やレシート，領収書等の紙幣類を収納するための紙幣類収納部４０とが設けられている。
【００１２】
カード類収納部２０は、複数のポケット２１から構成されており、硬貨収納部３０と紙幣類収納部４０との間に設けられている。このポケット２１は、外面の一部が、隣り合う他のポケット２１と縫着されることで、長尺方向へ蛇腹状に伸縮する。そして、両端のポケットの一部が硬貨収納部３０及び紙幣類収納部４０に縫着されて固定されている。また、ポケット２１には、仕切り部材２２が設けられており、仕切り部材２２の両側にカード類を収納することができる。
【００１３】
外装面部材１０，１１は、図２に示すように、略正方形の形状であって、それぞれの一辺に縫着されている結合片１２により結合している。この、外装面部材１０，１１には、ファスナー１３が設けられている。このファスナー１３は、外装面部材１０，１１のそれぞれの周縁部に設けられている務歯１４と、この務歯を組み合わせるためのスライダー１５とから構成されており、スライダー１５を務歯１４上で移動させることにより、財布本体１の開閉を可能としている。
【００１４】
硬貨収納部３０は、図３に示すように、蓋部３１と、立ち上がり面部３２と、側面部３３，３４と、底面部３５とから構成されている。蓋部３１と立ち上がり面部３２とに側面部３３，３４が縫着され、それぞれが底面部３５に縫着されて、略正方形の開口を形成している。蓋部３１及び立ち上がり面部３２は、財布本体１の外側へ起き上がるようにして開口し、それに伴って、内方に折り込まれていた側面部３３，３４が財布本体１の外側へ広がるようにして起き上がる。
【００１５】
また、蓋部３１を閉じようとすると、立ち上がり面部３２が内方へ折り畳まれ、それに伴い、側面部３３，３４が内方へ折り込まれるようにして折り畳まれる。そして、蓋部３１の裏側と立ち上がり面部３２の表側には、留め具３６，３７が設けられており、留め具３７を留め具３６に嵌めることで蓋部３１を閉じることができる。
【００１６】
次に、図４及び図５を参照して、紙幣類収納部４０の構成について説明する。
図４は、紙幣類収納部４０の全体を広げた状態を示した図である。
図４に示すように、紙幣類収納部４０は、収納される紙幣と略同一の大きさの形状である。財布本体１を折り畳んだ状態のときは、この紙幣類収納部４０は、中央付近が折り曲げられ財布本体内に二つ折りの状態で収まっている。そして、財布本体１を左右方向に展開すると、この紙幣類収納部４０は、財布本体１の内側全面に広がる。この紙幣類収納部４０の表面側の両端には、留め具４１，４２が設けられており、この留め具４１，４２を互いに嵌め合わせることで、財布本体１を左右方向に展開したときに、財布本体１の内側全面に紙幣類収納部４０が広がることを防止することができる。換言すると、この留め具４１，４２を互いに嵌め合わせることで、カード類収納部２０や硬貨収納部３０と同時に開かれるのを防止することができる。
【００１７】
図５は、紙幣類収納部４０の構成を示した図である。
図５に示すように、紙幣類収納部４０は、同一の大きさである長尺状の表面シート部材４３と裏面シート部材４４とから構成されている。裏面シート部材４４は、外装面部材１１のみに縫着されており、表面シート部材４３と裏面シート部材４４とは、長手方向の一辺とそれに連続して連なる辺、即ち、２辺のみが縫着されている。よって、図５に示すように、外装面部材１０側から表面シート部材４３をめくることによって紙幣を収納することができる。収納後に外装面部材１１，１２に設けられているファスナー１３を閉じると、硬貨類，カード類および紙幣類を収納可能なコンパクトな財布となる。
【００１８】
以上の説明から、本考案に係る財布は、ファスナーで開閉可能な折り畳みの財布であって、大きな開口を有することで硬貨の取り出しが容易な硬貨収納部と、蛇腹式であって複数枚のカード類を収納できるカード類収納部と、紙幣を折り畳まなくても収納ができる紙幣類収納部とが、互いに向き合う外装面部材の内側に設けられており、外装面部材に設けられているファスナーを閉じることにより、コンパクトにすることができる。
【００１９】
また、紙幣収納部は留め具によって一方の外装面部材側に固定されていることから、財布本体を展開したときに紙幣収納部が財布本体の内側全面に広がることを防止することができる。これにより、財布本体を展開したときに、使用頻度の高い硬貨収納部を開け易くすることができるため利便性が高くなる。
【図面の簡単な説明】
【００２０】
【図１】本考案の実施形態に係る折り畳み可能な財布の展開した状態を示した図である。
【図２】本考案の実施形態に係る折り畳み可能な財布の折り畳んだ状態を示した図である。
【図３】硬貨収納部の構成を示した図である。
【図４】紙幣収納部の全体を広げた状態を示した図である。
【図５】紙幣収納部の構成を示した図である。
【図６】従来の財布の構成を示した図である。
【図７】図６に示す財布の横からみた図である。
【符号の説明】
【００２１】
１    財布
１０、１１    外装面部材
１２    結合片
１３    ファスナー
１４    務歯
１５    スライダー
２０    カード類収納部
２１    ポケット
２２    仕切り部材
３０    硬貨収納部
３１    蓋部
３２    立ち上がり面部
３３、３４    側面部
３５    底面部
４０    紙幣類収納部
４１、４２    留め具
４３    表面シート部材
４４    裏面シート部材
【図１】
0003142409.tif 000003
【図２】
0003142409.tif 000004
【図３】
0003142409.tif 000005
【図４】
0003142409.tif 000006
【図５】
0003142409.tif 000007
【図６】
0003142409.tif 000008
【図７】
0003142409.tif 000009